(57)【特許請求の範囲】
【請求項１】
ハウジング３１の内部に光源バルブ３２が収納されると共に開口部側にレンズ３３が装着され、前記ハウジング３１の相対向する側面に複数の係合凹部３１ａが形成され、また、前記ハウジング３１の閉塞側にルーフパネル１と係合可能な複数の弾性挟持片３１ｃが取付けられると共に、該弾性挟持片３１ｃと同じ側面に当接段部３１ｂが形成されたルームランプ３と、
前記したルームランプ３のハウジング３１が挿入可能な大きさのルームランプ固定孔２２が形成されると共に該ルームランプ固定孔２２より内側に突出する先端に向かって窄まる突出片２３が形成されたトリム２と、
前記トリム２を前記ルームランプ３を介して固定するための固定孔１１が形成されたルーフパネル１と、
から構成し、前記ルームランプ３は前記トリム２の突出片２３をハウジング３１の係合凹部３１ａに係合することでトリム２に対して前後左右に移動が規制されて仮固定され、前記ハウジング３１をルーフパネル１の挿入孔１３ａ内に挿入することで前記弾性挟持片３１ｃが前記ルーフパネル１の固定孔に係合され、ルームランプ３とトリム２とが一体となってルーフパネル１に固定され、かつ、この状態において前記当接段部３１ｂとルーフパネル１との間にトリム２が挟持されることを特徴とするルームランプの固定構造。
【請求項２】
前記ルームランプ３の前記ハウジング３１を前記固定孔１１へ挿入する際に、前記トリム２の下面に当接する複数の当接段部３１ｂが形成されていることを特徴とする請求項１記載のルームランプの固定構造。
【発明の詳細な説明】
【０００１】
【発明の属する技術分野】
本発明は自動車におけるルームランプの固定構造に関し、詳細には、トリムにルームランプを取付け、該ルームランプが取付けられたトリムを車両のルーフパネルに取付けることにより、ルームランプをトリムとともにルーフパネルに固定するようにしたルームランプの固定構造に関するものである。
【０００２】
【従来の技術】
従来、この種のルームランプの固定構造としては、例えば、実開平９−６５０９３号公報に開示されたものがある。この考案は、ルームランプに取付けられた板ばねによるブラケットによって、ルームランプのフランジ部と前記ブラケットとの間でトリムを挟持し、前記ブラケットの先端ばね部をルーフパネルに形成された係合孔に係合してトリムとルームランプをルーフパネルに取付けるものであった。
【０００３】
【発明が解決しようとする課題】
ところで、前記した従来例にあっては、トリムにルームランプを取付けるには、ルームランプをトリムに形成されたランプ取付孔に挿入した後に、ブラケットをルームランプのクリップ部に圧入してトリムの縁をブラケットとルームランプのボディーとの間で挟持するものであるため、トリムにルームランプを取付ける作業が面倒であるといった問題があった。
【０００４】
また、トリムはルーフパネルに対して別途取付位置で取付けられており、前記ブラケットは孔に弾性的に係止するにすぎず、トリムはルーフパネルに対して垂下した状態で取付けられている状態となっているので、トリムとルーフパネルとは直接的に取付けされていないので取付けが非常に不安定となって、車両の走行時における振動によってガタ付いて騒音を発生する可能性もある。
【０００５】
本発明は前記した問題点を解決せんとするもので、その目的とするところは、自動車の組立ラインにおける組立作業の工数の削減を図れ、また、ルームランプをトリムに固定し、かつ、ルームランプおよびトリムを車体のルーフパネルに固定したので、振動によるガタ付きがなく騒音の発生もないルームランプの固定構造を提供せんとするにある。
【０００６】
【課題を解決するための手段】
請求項１にかかる発明は、ハウジング３１の内部に光源バルブ３２が収納されると共に開口部側にレンズ３３が装着され、前記ハウジング３１の相対向する側面に複数の係合凹部３１ａが形成され、また、前記ハウジング３１の閉塞側にルーフパネル１と係合可能な複数の弾性挟持片３１ｃが取付けられると共に、該弾性挟持片３１ｃと同じ側面に複数の当接段部３１ｂが形成されたルームランプ３と、前記したルームランプ３のハウジング３１が挿入可能な大きさのルームランプ固定孔２２が形成されると共に該ルームランプ固定孔２２より内側に突出する先端に向かって窄まる突出片２３が形成されたトリム２と、前記トリム２を前記ルームランプ３を介して固定するための固定孔１１が形成されたルーフパネル１とから構成し、前記ルームランプ３は前記トリム２の突出片２３をハウジング３１の係合凹部３１ａに係合することでトリム２に対して前後左右に移動が規制されて仮固定され、前記ハウジング３１をルーフパネル１の挿入孔１３ａ内に挿入することで前記弾性挟持片３１ｃが前記ルーフパネル１の固定孔に係合され、ルームランプ３とトリム２とが一体となってルーフパネル１に固定され、かつ、この状態において前記当接段部３１ｂとルーフパネル１との間にトリム２が挟持されることを特徴とする。
【０００７】
請求項２にかかる発明は、請求項１に記載のルームランプ固定構造において、前記ルームランプ３の前記ハウジング３１を前記固定孔１１へ挿入する際に、前記トリム２の下面に当接する複数の当接段部３１ｂが形成されていることを特徴とする。
【０００９】
【発明の実施の形態】
以下、この発明の実施形態を図に基づいて説明する。
図１はこの発明の一実施形態であるルームランプの固定構造の分解斜視図、図２は図１に示したルームランプを左斜め下側から見た正面図、図３は図１に示したルームランプを右斜め下側から見た側面図、図４はルームランプを固定した状態の断面図、図５はルーフパネルの固定孔と、トリムのルームランプ固定孔と、ルームランプとの関係を示す説明図である。なお、図１におけるトリムは、凹部の部分のみが図示され、また、図４は、図５のＸ−Ｘ線による断面図である。
【００１０】
図１において、１は車体を構成するルーフパネルを示し、図示を省略した天井骨組に取り付けられ、後述するトリム２およびルームランプ３を固定する固定孔１１が設けられている。
【００１１】
２はトリムを示し、例えば発砲ウレタンの基材の下面にフェルトなどの被覆材を被覆したもので、ルームランプ３の大きさで上側へ凹んだ凹部２１と、この凹部２１の底に位置するルームランプ固定孔２２と、このルームランプ固定孔２２へ対向して突出する２つの突出片２３とが設けられている。そして、各突出片２３は、両側面２３ａが先端へ向かって窄まる傾斜面とされている。
【００１２】
３はルームランプを示し、合成樹脂製のハウジング３１と、図５に示すように、ハウジング３１内に収容された光源バルブ３２と、ハウジング３１の下面を閉塞し、ハウジング３１の外側にフランジ３３ａが周回するように突出しているレンズ３３と、図２〜図４に示すように、操作部分がレンズ３３から下側へ突出するように図示しないスイッチに取付けられた操作ノブ３４とで構成されている。
【００１３】
そして、ハウジング３１の側面（外周）には、図５に示すように、トリム２の２つの突出片２３に対応する位置に、それぞれ突出片２３が係合する係合凹部３１ａが一体的に成形して設けられ、また、ハウジング３１には、該ハウジング３１を固定孔２２へ挿入することにより、トリム２の下面に当接する当接段部３１ｂが一体的に成形されるとともに、当接段部３１ｂとでルーフパネル１とトリム２とを挟持する２つの弾性挟持片３１ｃが、当接段部３１ｂと異なる点対称の位置に設けられている。
なお、２つの弾性挟持片３１ｃは、金属板で構成され、ハウジング３１に取り付けられている。
【００１４】
上記したルームランプ固定孔２２と、各突出片２３と、各係合凹部３１ａとにより、トリムに対するルームランプ固定手段Ｒが構成されている。また、固定孔１１と、各当接段部３１ｂと、各弾性挟持片３１ｃとにより、ルーフパネルに対するトリムおよびルームランプ固定手段Ｔが構成されている。
【００１５】
次に、ルームランプ３の固定について説明する。
まず、トリム２とレンズ３３との間にハウジング３１を位置させ、各係合凹部３１ａをそれぞれ突出片２３に対応させる。そして、ハウジング３１をルームランプ固定孔２２へ挿入すると、各突出片２３がハウジング３１で押されて撓み、フランジ３３ａが凹部２１の内面に当接するので、各突出片２３を対応する係合凹部３１ａ内へ押し込むことにより、トリム２にルームランプ３をトリムに対するルームランプ固定手段Ｒで固定できる。
【００１６】
このように、トリム２にルームランプ３をトリムに対するルームランプ固定手段Ｒで固定すると、各突出片２３の両側面２３ａが先端へ向かって窄まる傾斜面とされているので、図５に示すように、各側面２３ａ（傾斜面）の一部が係合凹部３１ａの内周面の外縁に当接することにより、ルームランプ３は、トリム２に対して前後左右へ移動するのを規制され、トリム２に対してガタ付かなくなる。
【００１７】
また、同時に各当接段部３１ｂにトリム２の下面が当接し、ルームランプ固定孔２２の縁が各当接段部３１ｂに当接するので、ルームランプ３は、ルームランプ固定孔２２の縁でトリム２に対して前後左右へ移動するのを規制されることになり、トリム２に対してさらにガタ付かなくなる。
【００１８】
このように、トリム２にルームランプ３を固定した後、ハウジング３１を固定孔１１へ挿入すると、各弾性挟持片３１ｃはルーフパネル１の縁で押されて撓んだ後、自身の弾性で元の状態に復帰し、また、各当接段部３１ｂがトリム２を介してルーフパネル１に当接することにより、各当接段部３１ｂと各弾性挟持片３１ｃとでルーフパネル１とトリム２とを挟持することにより、ルーフパネル１にトリム２およびルームランプ３をルーフパネルに対するトリムおよびルームランプ固定手段Ｔで固定できる。
【００１９】
なお、ルーフパネル１にトリム２をルーフパネルに対するトリムおよびルームランプ固定手段Ｔで固定した場合、ルーフパネル１からトリム２およびルームランプ３を取り外せるように、すなわち、図４に示すように、各弾性挟持片３１ｃの挟持側の端は、ルーフパネル１からレンズ３３側へ突出している。
【００２０】
【発明の効果】
以上のように、この発明によれば、トリムに対するルームランプ固定手段により、トリムに対してルームランプをワンタッチで取り付けることができるので、自動車の組立ラインにおける組立作業の工数の削減を図ることができる。
【００２１】
そして、各突出片の両側面を先端へ向かって窄まる傾斜面としたので、各側面の一部が係合凹部の内周面の外縁に当接することにより、ルームランプをトリムに対して前後左右へガタ付かないように取付けることができる。
【００２２】
また、ルーフパネルに対するトリムおよびルームランプ固定手段により、ルーフパネルに対してルームランプとトリムをワンタッチで取付けることができるので、自動車の組立ラインにおける組立作業の工数の削減を図ることができる。
【００２３】
さらに、ルーフパネルとトリムをルームランプに形成した当接段部と弾性挟持片とで挟持するようにしたので、トリムのルーフパネルに対する取付けが非常に安定した状態となり、従って、車両の走行時における振動によるガタ付きを防止して騒音の発生を防止することができる等の効果を有するものである。
【図面の簡単な説明】
【図１】この発明の一実施形態であるルームランプの固定構造の分解斜視図である。
【図２】図１に示したルームランプを左下側から見た正面図である。
【図３】図１に示したルームランプを右斜め下側から見た側面図である。
【図４】ルームランプを固定した状態の断面図である。
【図５】ルーフパネルの固定孔と、トリムのルームランプ固定孔と、ルームランプとの関係を示す説明図である。
【符号の説明】
１      ルーフパネル
１１    固定孔（ルーフパネルに対するトリムおよびルームランプ固定手段）
２      トリム
２１    凹部
２２    ルームランプ固定孔（トリムに対するルームランプ固定手段）
２３    突出片（ルームランプ固定手段）
２３ａ  側面
３      ルームランプ
３１    ハウジング
３１ａ  係合凹部（ルームランプ固定手段）
３１ｂ  当接段部（トリム固定手段）
３１ｃ  弾性挟持片（トリム固定手段）
３２    光源バルブ
３３    レンズ
３３ａ  フランジ
３４    操作ノブ
Ｒ      ルーフパネルに対するトリムおよびルームランプ固定手段
Ｔ      トリムに対するルームランプ固定手段
【図１】
0003908500.tif 000002
【図２】
0003908500.tif 000003
【図３】
0003908500.tif 000004
【図４】
0003908500.tif 000005
【図５】
0003908500.tif 000006